(57)【特許請求の範囲】
【請求項１】
記録媒体に記録を行う記録ヘッドと、
前記記録媒体を搬送方向に搬送する搬送部と、
制御装置から、切断指示コマンド、及び文字列を含む記録データを受信する受信部と、
前記記録媒体を切断する切断部と、
特定の文字列と、前記切断部による切断とを対応付ける設定部と、
前記設定部で前記特定の文字列と前記切断部による切断とが対応付けられて設定され、前記受信部で受信した前記記録データに前記特定の文字列が含まれている場合には、前記特定の文字列の記録後、前記切断部の切断を実行させ、前記切断指示コマンドを読み飛ばす記録制御部と、
を備えることを特徴とする記録装置。
【請求項２】
前記切断部は、前記記録ヘッドの搬送方向下流に配置され、
前記記録データは、前記特定の文字列を含む前記記録媒体の所定の領域に記録される１又は複数行の文字列であり、
前記受信部で受信した前記記録データに基づいて、前記文字列を記憶する先頭画像情報記憶部を備え、
前記設定部は、前記先頭画像情報記憶部で記憶された前記文字列に含まれる特定の文字列と、前記切断部での前記記録媒体の切断とを対応付けする請求項１に記載の記録装置。
【請求項３】
切断指示コマンド、及び文字列を含む記録データを受信し、
特定の文字列と切断部による切断とが対応付けられて設定され、受信した前記記録データに前記特定の文字列が含まれている場合には、前記特定の文字列の記録後、前記切断部の切断を実行し、前記切断指示コマンドを読み飛ばすことを特徴とする記録装置の制御方法。
【請求項４】
記録媒体に記録を行う記録ヘッドと、前記記録媒体を搬送方向に搬送する搬送部と、前記記録媒体を切断する切断部と、制御装置から切断指示コマンド及び文字列を含む記録データを受信する受信部と、特定の文字列と前記切断部による切断とを対応付ける設定部と、を備える記録装置を制御する制御部で実行されるプログラムであって、
前記受信部で文字列を含む記録データを受信したときに、
前記設定部で前記特定の文字列と前記切断部による切断とが対応付けられて設定され、受信した前記記録データに、前記特定の文字列が含まれている場合には、前記特定の文字列の記録後、前記切断部の切断を実行させることを特徴とするプログラム。
【発明の詳細な説明】
【技術分野】
【０００１】
本発明は、制御装置に接続可能な記録装置、当該記録装置の制御方法、及び、当該記録装置を制御するためのプログラムに関する。
【背景技術】
【０００２】
従来、制御装置（ホストＰＣ）に接続可能に構成され、記録ヘッド（印字ヘッド）に記録媒体への記録を行う記録装置（プリンター）が知られている（例えば、特許文献１参照）。
【先行技術文献】
【特許文献】
【０００３】
【特許文献１】特開２００５−５９５０２号公報
【発明の概要】
【発明が解決しようとする課題】
【０００４】
ところで、記録装置が、記録媒体へ記録している際に、適宜、所定のタイミングで所定の動作を実行するようにできれば、記録装置のパフォーマンスが向上し、商品としての価値が向上する。一方で、従来は、記録装置における記録媒体への記録に係る動作を変更するためには、制御装置から記録装置へ出力するデータを変更する必要があり、これに伴って制御装置に対して所定の改変を行う必要があった。しかしながら、制御装置に対する改変は、相当な煩雑な作業を伴う場合があったり、また、記録装置と制御装置との開発の主体が異なる等の理由により制御装置に改変を行えない場合があったりする等の理由のため、できるだけ行わないようにしたい、とうするニーズがあった。
本発明は、上述した事情に鑑みてなされたものであり、制御装置に対する改変をできるだけ行うことなく、記録媒体への記録に際し、所定のタイミングで所定の動作を実行することが可能となるようにすることを目的とする。
【課題を解決するための手段】
【０００５】
本発明の記録装置は、記録媒体に記録を行う記録ヘッドと、前記記録媒体を搬送方向に搬送する搬送部と、制御装置から、切断指示コマンド、及び文字列を含む記録データを受信する受信部と、前記記録媒体を切断する切断部と、特定の文字列と、前記切断部による切断とを対応付ける設定部と、前記設定部で前記特定の文字列と前記切断部による切断とが対応付けられて設定され、前記受信部で受信した前記記録データに前記特定の文字列が含まれている場合には、前記特定の文字列の記録後、前記切断部の切断を実行させ、前記切断指示コマンドを読み飛ばす記録制御部と、備えることを特徴とする。
また、本発明の記録装置は、前記切断部は、前記記録ヘッドの搬送方向下流に配置され、前記記録データは、前記特定の文字列を含む前記記録媒体の所定の領域に記録される１又は複数行の文字列であり、前記受信部で受信した前記記録データに基づいて、前記文字列を記憶する先頭画像情報記憶部を備え、前記設定部は、前記先頭画像情報記憶部で記憶された前記文字列に含まれる特定の文字列と、前記切断部での前記記録媒体の切断とを対応付けする。
また、本発明の記録装置の制御方法は、切断指示コマンド、及び文字列を含む記録データを受信し、特定の文字列と切断部による切断とが対応付けられて設定され、受信した前記記録データに前記特定の文字列が含まれている場合には、前記特定の文字列の記録後、前記切断部の切断を実行し、前記切断指示コマンドを読み飛ばすことを特徴とする。
また、本発明のプログラムは、記録媒体に記録を行う記録ヘッドと、前記記録媒体を搬送方向に搬送する搬送部と、前記記録媒体を切断する切断部と、制御装置から切断指示コマンド及び文字列を含む記録データを受信する受信部と、特定の文字列と前記切断部による切断とを対応付ける設定部と、を備える記録装置を制御する制御部で実行されるプログラムであって、前記受信部で文字列を含む記録データを受信したときに、前記設定部で前記特定の文字列と前記切断部による切断とが対応付けられて設定され、受信した前記記録データに、前記特定の文字列が含まれている場合には、前記特定の文字列の記録後、前記切断部の切断を実行させることを特徴とする。
上記目的を達成するために、本発明は、制御装置に接続可能な記録装置であって、記録媒体に記録を行う記録ヘッドと、前記記録媒体を搬送方向に搬送する搬送部と、前記制御装置から、文字列を含む記録データを受信する受信部と、前記受信部により受信した前記記録データに基づいて、前記記録ヘッド、及び、前記搬送部を制御して、前記記録媒体への記録を行う記録制御部と、特定の文字列と、所定の動作とを対応付ける設定部と、を備え、前記記録制御部は、前記受信部で受信した前記記録データに、前記特定の文字列が含まれている場合には、当該特定の文字列の記録に対応した所定のタイミングで、前記設定部により前記特定の文字列と対応付けられた前記所定の動作を実行することを特徴とする。
この構成によれば、記録装置は、記録データに特定の文字列が含まれている場合には、当該文字列の記録に対応した所定のタイミングで、所定の動作を実行するため、記録媒体への記録中に、記録データにおける文字列の態様に応じて、各文字列に対応した所定のタイミングで所定の動作を実行することが可能となる。特に、制御装置は、記録装置に対して通常どおり、記録データを出力すれば、記録装置側で、自動で、特定の文字列の記録と対応させて、所定のタイミングで所定の動作を行われることとなるため、制御装置に対して、改変を行う必要がない。
【０００６】
また、上記発明の記録装置であって、本発明は、前記記録媒体を切断する切断部をさらに備え、前記設定部は、１の特定の文字列と、前記切断部による前記記録媒体の切断とを対応付けし、前記記録制御部は、前記受信部で受信した前記記録データに、前記１の特定の文字列が含まれている場合には、当該１の特定の文字列の記録に対応した所定のタイミングで、前記切断部による前記記録媒体の切断をすることを特徴とする。
この構成によれば、記録装置は、記録データにおける文字列の態様に応じて、適切なタイミングで、記録媒体の切断を行うことが可能である。
【０００７】
また、上記発明の記録装置であって、本発明は、前記切断部は、前記記録ヘッドの搬送方向下流に配置され、前記受信部により受信した前記記録データに基づいて、前記記録媒体の所定の領域に記録される１又は複数行の文字列を記憶する先頭画像情報記憶部をさらに備え、前記設定部は、前記先頭画像情報記憶部により記憶された前記１又は複数行の文字列に含まれる１の特定の文字列と、前記切断部による前記記録媒体の切断とを対応付けし、前記記録制御部は、前記切断部により前記記録媒体を切断する場合、前記記録媒体の切断位置の搬送方向上流側に、前記記録ヘッドにより前記先頭画像情報記憶部により記憶された前記１又は複数行の文字列を記録させつつ、前記搬送部により前記記録媒体を搬送方向に搬送し、前記１の特定の文字列の記録をトリガーとして、前記切断部による前記記録媒体の切断をすることを特徴とする。
この構成によれば、記録媒体の切断に際し、記録ヘッドと切断部との搬送方向における離間に起因して発生する記録媒体の先端と、記録媒体に記録される画像の先端とのマージンを縮小しつつ、以下のことが可能となる。すなわち、先頭画像情報記憶部により記憶された１又は複数行の文字列のうち、１の特定の文字列の記録をトリガーとして、切断部による記録媒体の切断を行う構成であるため、切断のトリガーとなる文字列を適切に指定しておくことにより、適切なタイミングで記録媒体の切断を行うことが可能となる。
【０００８】
また、上記発明の記録装置であって、本発明は、前記記録媒体を切断する切断部をさらに備え、前記設定部は、１の特定の文字列と、前記搬送部により前記記録媒体を所定の搬送量搬送した後、前記切断部により前記記録媒体を切断することとを対応付けし、前記記録制御部は、前記受信部により受信した前記記録データに前記１の特定の文字列が含まれている場合、前記記録データに基づいて前記記録媒体への記録を行うと共に、前記１の特定の文字列の記録をトリガーとして、前記搬送部により前記記録媒体を所定の搬送量搬送した後、前記切断部により前記記録媒体を切断することを特徴とする。
この構成によれば、記録装置は、記録データにおける文字列の態様に応じて、適切なタイミングで、記録媒体を所定の搬送量搬送した後、切断することが可能となる。
【０００９】
また、上記発明の記録装置であって、本発明は、前記切断部は、前記記録ヘッドの搬送方向下流に配置され、前記設定部は、１の特定の文字列と、前記記録ヘッドにより所定の画像を記録しつつ前記搬送部により前記記録媒体を所定の搬送量搬送した後、前記切断部により前記記録媒体を切断することとを対応付けし、前記記録制御部は、前記受信部により受信した前記記録データに前記１の特定の文字列が含まれている場合、前記記録データに基づいて前記記録媒体への記録を行うと共に、前記１の特定の文字列の記録をトリガーとして、前記記録ヘッドにより所定の画像を記録しつつ前記搬送部により前記記録媒体を所定の搬送量搬送した後、前記切断部により前記記録媒体を切断することを特徴とする。
この構成によれば、記録媒体の切断に際し、記録ヘッドと切断部との搬送方向における離間に起因して発生する記録媒体の先端と、記録媒体に記録される画像の先端とのマージンを縮小しつつ、適切なタイミングで、記録媒体を所定の搬送量搬送した後、切断することが可能となる。
【００１０】
また、上記発明の記録装置であって、本発明は、前記所定の搬送量は、前記搬送方向における前記記録ヘッドと前記切断部との間の距離に相当することを特徴とする。
この構成によれば、記録ヘッドと切断部との搬送方向における離間に起因して発生する記録媒体の先端と、記録媒体に記録される画像の先端とのマージンを縮小しつつ、切断位置の下流側に記録すべき画像と、切断位置の上流側に記録すべき画像との間の適切な位置で記録媒体を切断することが可能となる。
【００１１】
また、上記発明の記録装置であって、本発明は、前記設定部は、１の特定の文字列と、前記搬送部による前記記録媒体の搬送とを対応付けし、前記記録制御部は、前記受信部で受信した前記記録データに、前記１の特定の文字列が含まれている場合には、当該１の特定の文字列の記録に対応した前記所定のタイミングで、前記搬送部により前記記録媒体を搬送することを特徴とする。
この構成によれば、記録装置は、記録データにおける文字列の態様に応じて、適切なタイミングで、記録媒体を搬送することが可能となる。これにより、例えば、所定の文字列の後にスペースを形成すること等が可能となる。
【００１２】
また、上記発明の記録装置であって、本発明は、周囲に報知する報知部をさらに備え、前記設定部は、１の特定の文字列と、前記報知部による報知とを対応付けし、前記記録制御部は、前記受信部で受信した前記記録データに、前記１の特定の文字列が含まれている場合には、当該１の特定の文字列の記録に対応した前記所定のタイミングで、前記報知部により報知することを特徴とする。
この構成によれば、記録装置は、記録データにおける文字列の態様に応じて、適切なタイミングで、報知部による報知を行うことが可能となる。
【００１３】
また、上記発明の記録装置であって、本発明は、前記報知部は、音の出力、又は、情報の表示により、周囲に報知することを特徴とする。
この構成によれば、記録データにおける文字列の態様に応じて、適切なタイミングで、音を出力し、又は、情報を表示することが可能となる。
【００１４】
また、上記発明の記録装置であって、本発明は、前記設定部は、前記制御装置から受信した所定のコマンドに基づいて、前記特定の文字列と、所定の動作とを対応付けることを特徴とする。
この構成によれば、制御装置を利用して、特定の文字列と、所定の動作とを対応付けることが可能となり、利便性が向上する。
【００１５】
また、上記目的を達成するために、本発明は、制御装置に接続可能であり、記録媒体に記録を行う記録ヘッドと、前記記録媒体を搬送方向に搬送する搬送部と、前記制御装置から、文字列を含む記録データを受信する受信部と、特定の文字列と所定の動作とを対応付ける設定部と、を備える記録装置の制御方法であって、前記受信部により前記記録データを受信し、受信した前記記録データに、前記特定の文字列が含まれている場合には、当該特定の文字列の記録に対応した所定のタイミングで、前記設定部により前記特定の文字列と対応付けられた前記所定の動作を実行することを特徴とする。
この制御方法によれば、記録装置は、記録データに特定の文字列が含まれている場合には、当該文字列の記録に対応した所定のタイミングで、所定の動作を実行するため、記録媒体への記録中に、記録データにおける文字列の態様に応じて、各文字列に対応した所定のタイミングで所定の動作を実行することが可能となる。特に、制御装置は、記録装置に対して通常どおり、記録データを出力すれば、記録装置側で、自動で、特定の文字列の記録と対応させて、所定のタイミングで所定の動作を行われることとなるため、制御装置に対して、改変を行う必要がない。
【００１６】
また、上記目的を達成するために、本発明は、制御装置に接続可能であり、記録媒体に記録を行う記録ヘッドと、前記記録媒体を搬送方向に搬送する搬送部と、前記制御装置から、文字列を含む記録データを受信する受信部と、特定の文字列と所定の動作とを対応付ける設定部と、を備える記録装置の各部を制御する制御部により実行されるプログラムであって、前記制御部を、前記受信部で受信した前記記録データに、前記特定の文字列が含まれている場合には、当該特定の文字列の記録に対応した所定のタイミングで、前記設定部により前記特定の文字列と対応付けられた前記所定の動作を実行する記録制御部として機能させることを特徴とする。
このプログラムを実行すれば、記録装置は、記録データに特定の文字列が含まれている場合には、当該文字列の記録に対応した所定のタイミングで、所定の動作を実行するため、記録媒体への記録中に、記録データにおける文字列の態様に応じて、各文字列に対応した所定のタイミングで所定の動作を実行することが可能となる。特に、制御装置は、記録装置に対して通常どおり、記録データを出力すれば、記録装置側で、自動で、特定の文字列の記録と対応させて、所定のタイミングで所定の動作を行われることとなるため、制御装置に対して、改変を行う必要がない。
【発明の効果】
【００１７】
本発明によれば、制御装置に対する改変をできるだけ行うことなく、記録媒体への記録に際し、所定のタイミングで所定の動作を実行することが可能となる。
【図面の簡単な説明】
【００１８】
【図１】第１実施形態に係るＰＯＳ端末の概略構成を示す図である。
【図２】プリンターの本体内部の構成を模式的に示す図である。
【図３】ＰＯＳ端末の機能的構成を示すブロック図である。
【図４】記録データ、及び、レシートを模式的に示す図である。
【図５】従来のホストコンピューターとプリンターとのシーケンス図である。
【図６】記録ヘッドと、カッターユニットとの関係を模式的に示す図である。
【図７】レシートの様子を模式的に示す図である。
【図８】ホストコンピューターとプリンターとの動作を示すフローチャート。
【図９】レシートと先頭画像との関係を模式的に示す図である。
【図１０】先頭画像に係る描画データを所定の座標系に展開した様子を示す図。
【図１１】第２実施形態に係る記録データ、及び、レシートを模式的に示す図。
【図１２】プリンターの動作の説明に使用する図である。
【図１３】第３実施形態に係るレシートを模式的に示す図である。
【図１４】第３、４、５実施形態に係るＰＯＳ端末の動作を示すフローチャート。
【発明を実施するための形態】
【００１９】
以下、図面を参照して本発明の実施形態について説明する。
＜第１実施形態＞
図１は、本発明を適用した実施形態に係るＰＯＳ端末１の概略構成を示す図である。
また、図２は、ＰＯＳ端末１が備えるプリンター２（記録装置）の本体内部の構成を模式的に示す図である。
図１に示すＰＯＳ端末１は、スーパーマーケットやコンビニエンスストア等の店舗に構築された販売時点管理システム（ＰＯＳシステム）上に設けられた端末であり、売上登録処理及び精算処理を行うホストコンピューター３と、このホストコンピューター３に接続され、ホストコンピューター３の制御の下、レシート１０を発行するプリンター２と、を備えている。
ホストコンピューター３は、売上登録処理及び精算処理の処理内容を表示するディスプレー１２、売上登録処理時に商品に付されたバーコードを読み取るバーコードスキャナー１３、売上登録キー等の各種キーを備えたキー入力部１４、精算用の現金を収容するキャッシュドロワー１５等を備えている。また、ホストコンピューター３には、売上登録した情報を収集するＰＯＳサーバー１６が接続されている。
レシート１０の発行に際し、ホストコンピューター３は、バーコードスキャナー１３からの入力値や、キー入力部１４からの入力値に基づいて、適宜、ＰＯＳサーバー１６にアクセスしてレシート１０を発行するために必要な情報を取得し、プリンター２にレシート１０の発行に係る各種動作を行わせる制御コマンドを生成し、プリンター２に出力する。プリンター２は、ホストコンピューター３から入力された制御コマンドに基づいて、各部を動作させ、レシート１０を発行する。
【００２０】
また、図１及び図２に示すように、記録装置としてのプリンター２は、本体２０に記録媒体としての感熱ロール紙２２を収容し、感熱ロール紙２２を搬送するローラー形状のプラテン２３（搬送部）と、プラテン２３に対向配置された記録ヘッド２４と、感熱ロール紙２２を切断するカッターユニット２５（切断部）とを備えている。
プリンター２は、搬送モーター２６（図３）を駆動して、プラテン２３を回転して、感熱ロール紙２２を搬送方向Ｙ１に搬送しながら、発熱素子が並べて設けられた記録ヘッド２４によって、感熱ロール紙２２の記録面に熱を与えて、感熱ロール紙２２の記録面にドットを形成することにより、画像を記録するサーマルラインプリンターである。後述する制御部５０や、搬送モーター２６、プラテン２３等が協働して搬送部として機能する。
画像が記録された感熱ロール紙２２は、本体２０の上面に形成された排紙口２８から外に向けて搬送され、この排紙口２８よりも搬送方向Ｙ１上流側でカッターユニット２５により切断され、レシート１０となる。
【００２１】
図２に示すように、プリンター２が備えるカッターユニット２５は、感熱ロール紙２２の搬送路の一方側に配置された固定刃３０と、この固定刃３０に対向して感熱ロール紙２２の搬送路の他方側に配置された可動刃３１と、可動刃３１を固定刃３０に向けてスライドさせるカッター駆動モーター３２とを備え、カッター駆動モーター３２の駆動力により、駆動機構（図示略）を介して可動刃３１がカッター駆動モーター３２に向けて移動され、固定刃３０と可動刃３１との間に印刷後の感熱ロール紙２２が挟まれ、切断される。
また、図１に示すように、プリンター２の本体２０には開閉可能なカバー３５が設けられる。本体２０には、カバー３５を開くためのレバー３６が設けられ、カバー３５を開くと、感熱ロール紙２２を収容する空間が露出し、感熱ロール紙２２の補充や交換が可能になる。また、本体２０には、プリンター２の電源をオン／オフさせる電源スイッチ３７、手動による感熱ロール紙２２の搬送等の操作を行うための紙送りスイッチ３８、及び、所定の態様で点灯／消灯することによりプリンター２の状態や、エラーの発生の有無等を表示するＬＥＤ３９が設けられている。
【００２２】
図３は、ＰＯＳ端末１の機能的構成を示すブロック図である。
図３に示すように、ホストコンピューター３は、ホスト側制御部４０と、ホスト側入力部４１と、ホスト側表示部４２と、ホスト側記憶部４３と、ホスト側インターフェイス部４４と、を備えている。
ホスト側制御部４０は、ホストコンピューター３を中枢的に制御するものであり、各種プログラムを実行するＣＰＵ、ＣＰＵにより実行される基本制御プログラム等を記憶するＲＯＭ、ＣＰＵが実行するプログラムや処理対象のデータ等を一時的に記憶するワークエリアを形成するＲＡＭ、その他周辺回路等を備えている。ホスト側制御部４０は、ＰＯＳアプリケーション実行部４０ａと、プリンタードライバー実行部４０ｂと、を備えているが、これらについては後述する。
ホスト側入力部４１は、上述したキー入力部１４を含めた各種入力デバイスに接続され、入力デバイスに対する操作を検出し、ホスト側制御部４０に出力する。
ホスト側表示部４２は、上述したディスプレー１２に接続され、ホスト側制御部４０の制御の下、売上登録処理及び精算処理の処理内容等の各種情報をディスプレー１２に表示する。
なお、上述したように、ホストコンピューター３は、バーコードスキャナー１３や、キャッシュドロワー等の各種レジスター周辺デバイスが接続されているが、ホストコンピューター３には、これらデバイスを接続するためのインターフェイスが実装されると共に、これらデバイスを制御するためのデバイスドライバーが予めインストールされている。
ホスト側記憶部４３は、ハードディスクや、ＥＥＰＲＯＭ等の不揮発性メモリーを備え、各種データを書き換え可能に、不揮発的に記憶する。
ホスト側インターフェイス部４４は、ホスト側制御部４０の制御の下、プリンター２との間で通信規格に準拠した通信を行う。
【００２３】
プリンター２は、上述したようにレシート１０を発行するサーマルラインプリンターであり、図３に示すように、制御部５０と、プリントエンジン５１と、入力部５２と、表示部５３と、記憶部５４と、インターフェイス部５５と、を備えている。
制御部５０は、プリンター２の各部を中枢的に制御するものであり、上述したホスト側制御部４０と同様、ＣＰＵや、ＲＯＭ、ＲＡＭ、その他の周辺回路等を備えている。
プリントエンジン５１は、制御部５０が備える記録制御部６０の制御の下、記録ヘッド２４や、搬送モーター２６、カッター駆動モーター３２等を動作させて、感熱ロール紙２２に画像を記録し、画像を記録した感熱ロール紙２２を切断することによりレシート１０を発行する。この記録制御部６０の機能は、ＣＰＵや、ファームウェアとのプログラムを読み出して実行する等、ハードウェアとソフトウェアとの協働により実現される。
入力部５２は、電源スイッチ３７、及び、紙送りスイッチ３８に接続され、これら操作スイッチに対する操作を検出し、制御部５０に出力する。
表示部５３は、制御部５０の制御の下、ＬＥＤ３９に駆動信号を出力し、所定の態様でＬＥＤ３９を点灯／消灯させる。
記憶部５４は、ＥＥＰＲＯＭや、ハードディスク等の不揮発性メモリーを備え、各種データを書き換え可能に、不揮発的に記憶する。記憶部５４に記憶される各データについては、後述する。
インターフェイス部５５は、ホストコンピューター３との間で、通信規格に準拠した通信を行う。このインターフェイス部５５と、制御部５０とが協働して、ホストコンピューター３から制御コマンドを受信する受信部として機能する。
放音部５７は、電子ブザーを備え、制御部５０の制御の下、所定の音を所定の態様で出力する。
【００２４】
次いで、ＰＯＳアプリケーション実行部４０ａ、及び、プリンタードライバー実行部４０ｂの説明を通して、１つのレシート１０を発行する際のＰＯＳ端末１の基本的な動作について説明する。
ＰＯＳアプリケーション実行部４０ａは、ホストコンピューター３に予めインストールされたＰＯＳアプリケーションを実行することにより、取引毎に、ＰＯＳサーバー１６にアクセスして必要な情報を取得した上で、購入された商品を示す情報や、商品の単価を示す情報、合計購入金額を示す情報等のレシート１０（図４（Ｂ））に記載すべき情報を取得し、取得した情報に基づいて、レシート１０に記録すべき画像の情報を含む印刷データを生成し、プリンタードライバー実行部４０ｂに出力する。
プリンタードライバー実行部４０ｂは、ホストコンピューター３に予めインストールされたプリンタードライバーを実行することにより、ＰＯＳアプリケーション実行部４０ａから入力された印刷データに基づいて、プリンター２のコマンド仕様に対応した制御コマンドを生成し、プリンター２に出力する。
制御コマンドとは、プリンター２にレシート１０の発行に係る各種動作を行わせるためのコマンド群のことであり、所定の搬送量だけ感熱ロール紙２２の搬送を指示する搬送指示コマンドＨＣや、カッターユニット２５によるによる切断を指示する切断指示コマンドＳＣのほか、記録データ８０が含まれている。
記録データ８０（図４（Ａ））とは、感熱ロール紙２２に記録すべき画像の情報、具体的には、記録すべき画像の内容（文字列や、所定のグラフィック、バーコード等）や、その順序を具体的に指定し、記録させる情報のことである。この記録データ８０の具体的な態様については、後に詳述する。
ホストコンピューター３からプリンター２に出力された制御コマンドは、順次、受信バッファー５６に格納される。プリンター２の制御部５０の記録制御部６０は、受信バッファー５６に格納された制御コマンドを、順次、読み出して実行することにより、プリントエンジン５１を制御して、レシート１０の発行に係る各種動作を実行する。特に、記録制御部６０は、記録データ８０に基づいてプリントエンジン５１を制御することにより、感熱ロール紙２２への所定の画像の記録、及び、画像の記録に伴う必要な搬送を行う。
【００２５】
次いで、記録データ８０、及び、記録データ８０に基づいて画像が記録されたレシート１０の具体例について、説明する。
【００２６】
図４（Ａ）は、記録データ８０の内容の一例を示す図であり、図４（Ｂ）は、図４（Ａ）の記録データ８０に基づいて画像が記録されたレシート１０の一例を示す図である。
図４（Ｂ）のレシート１０では、図中上に向かう方向が、搬送方向Ｙ１に対応する方向である。従って、レシート１０の発行の際には、感熱ロール紙２２が切断されて先端１０ａが形成された後、記録ヘッド２４によってレシート１０の先端１０ａ側から後端１０ｂ側へ向かって、順次、ドットが形成されて画像が記録され、その後、感熱ロール紙２２が切断されて後端１０ｂが形成される。
【００２７】
本実施形態では、プリンター２が発行するレシート１０のレイアウトは、所定の例外を除き、いずれのレシート１０についても基本的に同一である。
すなわち、図４（Ｂ）に示すように、レシート１０では、先端１０ａから後端１０ｂへ向かって順番に、換言すれば、記録ヘッド２４による記録が行われる順番に、先頭画像エリアＡ１、レシート情報エリアＡ２、グラフィックエリアＡ３、及び、バーコードエリアＡ４が形成される。
先頭画像エリアＡ１には、所定の文字列が所定の態様で定型的に記録されるエリアである。図４（Ｂ）の例では、「ＡＡＡ△Ｓｔｏｒｅ」（△はスペース。以下同じ。）という文字列が、基準の大きさの２倍の大きさで、中央寄せ（レシート１０の幅方向の中央部に文字列が記録されるようにすること。）で記録され、次の行に「ａｔ△ＢＢＢ△Ａｒｅａ」という文字列が、基準の大きさで、中央寄せで記憶される。
本実施形態では、所定の例外を除き、プリンター２が発行する全てのレシート１０について、先頭画像エリアＡ１には、同一の文字列が同一の態様で記録される。以下、先頭画像エリアＡ１に記録される上記の２行の文字列のことを「先頭画像」と表現するものとする。すなわち、先頭画像とは、レシート１０の先端部に定型的に記録される文字列に係る画像のことである。
レシート情報エリアＡ２は、レシート１０を発行した日時や、購入した商品の名称、商品の単価、合計購入金額、その他の付加的な情報が文字列として記録されるエリアである。
グラフィックエリアＡ３は、所定のグラフィック画像が記録されるエリアである。グラフィック画像については、後述する。
バーコードエリアＡ４は、バーコードが記録されるエリアである。
【００２８】
記録データ８０は、上述したように、感熱ロール紙２２に記録すべき画像の情報を含むデータであるが、具体的には、感熱ロール紙２２に所定の画像を所定の態様で記録させることを指示するコマンドが、記録させる順番に並んで構成されたデータである。プリンター２の制御部５０の記録制御部６０は、記録データ８０を構成する各コマンドを、順次、読み出して実行することにより、感熱ロール紙２２への画像の記録、及び、画像の記録に伴う必要な搬送を行う。
図４（Ａ）において、コマンド群Ｈ１は、レシート１０の先頭画像を構成する２行の文字列のうち、「ＡＡＡ△Ｓｔｏｒｅ」の文字列を所定の態様で記録させるコマンド群であり、文字列装飾コマンドＭＳ１、及び、文字列記録指示コマンドＭＫ１の２つのコマンドが含まれている。
文字列装飾コマンドＭＳ１は、「ＡＡＡ△Ｓｔｏｒｅ」の文字列に施す装飾を指定するコマンドであり、具体的には、当該文字列の大きさを基準の２倍の大きさとすること、及び、当該文字列を中央寄せすることを指定するコマンドである。なお、装飾とは、記録する文字列に対して描画に関する何らかの処理を行うことを意味し、例えば、上述した文字列の拡大や、文字列の位置の移動のほか、例えば、縮小、回転、強調、太字化、装飾文字又は装飾記号の付加等が装飾に該当する。
文字列記録指示コマンドＭＫ１は、「ＡＡＡ△Ｓｔｏｒｅ」の文字列を記録することを指示するコマンドである。本実施形態では、基本的に、文字列記録指示コマンドは、命令コードと、所定の文字コード（例えば、アスキーコード。）で表現された文字の組み合わせからなる文字列と、が組み合わされて構成されている。例えば、文字列記録指示コマンドＭＫ１は、「ＸＸＸ△“ＡＡＡ△Ｓｔｏｒｅ”」（ただし、ＸＸＸは、文字列を記録することを指示する命令コード。また、ダブルクォーテーション内の文字列は、アスキーコードで表現された文字の組み合わせによって構成された文字列。）という構成となっている。
【００２９】
記録制御部６０は、プリントエンジン５１を制御して、文字列装飾コマンドＭＳ１により指定された装飾を施した上で、文字列記録指示コマンドＭＫ１に記述された文字列を記録媒体に記録する。これにより、図４（Ｂ）に示すように、基準の２倍の大きさで、中央寄せされた「ＡＡＡ△Ｓｔｏｒｅ」の文字列が記録される。
詳述すると、プリンター２の記憶部５４には、フォントテーブル７０が記憶されている。フォントテーブル７０とは、フォントデータを集合して記憶するテーブルであり、また、フォントデータとは、文字を感熱ロール紙２２に記録可能な態様で表現する実データのことである。本実施形態では、フォントデータの態様は、ビットマップフォントデータである。フォントデータの態様としては、ビットマップデータのほか、スケイラブルフォントデータや、ベクトルフォントデータ、アウトラインフォントデータ等がある。
なお、本実施形態では、感熱ロール紙２２に記録する「文字」は、言語で使用される意味を持った文字のみならず、記憶部５４に記憶されたフォントデータに基づいて感熱ロール紙２２に記録可能な「図形」の全てを指す概念である。
アスキーコードで表現された文字のそれぞれは、フォントテーブル７０に記憶されたいずれかのフォントデータと対応関係にあり、この対応関係を示す情報が記憶部５４に予め記憶されている。例えば、各アスキーコードと、各アスキーコードに対応するフォントデータの位置（フォントテーブル７０における記憶領域のアドレス）とが対応づけて記憶されたテーブルが記憶部５４に予め記憶されている。
そして、文字列装飾コマンドＭＳ１、及び、文字列記録指示コマンドＭＫ１に基づいて、「ＡＡＡ△Ｓｔｏｒｅ」の文字列を記録する際、記録制御部６０は、フォントテーブル７０、及び、アスキーコードとフォントデータとの対応関係を示す情報を参照して、当該文字列を構成する各文字のフォントデータを取得し、文字列装飾コマンドＭＳ１が指定する装飾を反映した上で、取得したフォントデータに基づいて、プリントバッファー（不図示）に文字列に係る画像データ（ビットマップデータ）を展開する。次いで、記録制御部６０は、プリントバッファーに展開した当該文字列に係る画像データに基づいて、記録ヘッド２４や、搬送モーター２６等を駆動して、感熱ロール紙２２に文字列に係る画像を構成するドットを形成することにより、「ＡＡＡ△Ｓｔｏｒｅ」の文字列を記録する。
【００３０】
コマンド群Ｈ１に続く、コマンド群Ｈ２は、「ａｔ△ＢＢＢ△Ａｒｅａ」の文字列を所定の態様で記録させるコマンド群であり、当該文字列の大きさを基準の大きさとすること、及び、当該文字列を中央寄せすることを指定する文字列装飾コマンドＭＳ２、及び、「ａｔ△ＢＢＢ△Ａｒｅａ」の文字列を記録することを指示する文字列記録指示コマンドＭＫ２を含んで構成されている。
記録制御部６０は、コマンド群Ｈ２に含まれる各コマンドに基づいて、プリントエンジン５１を制御して、図４（Ｂ）に示すように、基準の大きさで、中央寄せされた「ａｔ△ＢＢＢ△Ａｒｅａ」の文字列を記録する。
コマンド群Ｈ２の後には、２つの改行コマンドＬＦが続いている。これにより、図４（Ｂ）に示すように、「ａｔ△ＢＢＢ△Ａｒｅａ」の文字列の後には、改行が２つ挿入される。
【００３１】
２つの改行コマンドＬＦの後には、コマンド群Ｈ３が続いている。このコマンド群Ｈ３は、レシート１０のレシート情報エリアＡ２に画像を記録させるコマンド群であり、上述した文字列装飾コマンド、文字列記録指示コマンド、及び、改行コマンドが組み合わされて構成されている。このコマンド群Ｈ３の詳細については省略する。
【００３２】
コマンド群Ｈ３の後には、グラフィック記録指示コマンドＧＳが続いている。
記録制御部６０は、このグラフィック記録指示コマンドＧＳに基づいて感熱ロール紙２２にグラフィック画像を記録する。
詳述すると、プリンター２の記憶部５４には、登録グラフィックテーブル７１が記憶されている。この登録グラフィックテーブル７１では、複数のグラフィック画像データと、各グラフィック画像に一意に付与された識別コードとが対応づけて記憶されている。グラフィック画像データとは、フォントデータに基づいて記録される画像ではない、所定の画像（グラフィック画像）を表現するビットマップデータのことであり、例えば、図４（Ｂ）のレシート１０のグラフィックエリアＡ３のグラフィック画像（強調用の飾り枠の中に「１０％Ｏｆｆ」という文字列が描画された画像）を表現するビットマップデータである。
そして、グラフィック記録指示コマンドＧＳには、記録すべきグラフィック画像の識別コードを特定する情報が含まれており、グラフィック記録指示コマンドＧＳに基づいてグラフィック画像を記録する際、記録制御部６０は、登録グラフィックテーブル７１を参照して、当該識別コードに対応するグラフィック画像データを取得し、取得したグラフィック画像データをプリントバッファーに展開し、展開したグラフィック画像データに基づいてプリントエンジン５１を制御して、グラフィック画像の記録を行う。
なお、グラフィック記録指示コマンドＧＳを、グラフィックエリアＡ３に記録すべき画像のビットマップデータを含んだ構成とし、当該ビットマップデータに係る画像を記録させるコマンドとすること可能である。この場合、記録制御部６０は、グラフィック記録指示コマンドＧＳに含まれるビットマップデータをプリントバッファーに展開して画像を記録する。
【００３３】
グラフィック記録指示コマンドＧＳの後には、バーコード記録指示コマンドＢＳが続いている。
バーコード記録指示コマンドＢＳは、ＨＲＩ文字に関する各種設定（ＨＲＩ文字を記録するか否か、ＨＲＩ文字をバーコードとの関係でどこに記録するか等）を指定するコマンドや、バーコードを記録する際のサイズを指定するコマンド、バーコードに変換しようとしている文字列（以下、「変換前文字列」という。）を指定すると共に当該変換前文字列に基づくバーコードの画像を記録することを指示するコマンド等が含まれて構成されている。
バーコード記録指示コマンドＢＳに基づいてバーコードを記録する際、記録制御部６０は、バーコード記録指示コマンドＢＳに含まれる変換前文字列を取得し、取得した変換前文字列を、ファームウェアに実装された所定の機能により、画像としてのバーコードを表現するビットマップデータに変換し、ＨＲＩ文字に関する各種設定や、バーコードのサイズに関する各種設定を反映した上で、画像としてのバーコードを表現するビットマップデータをプリントバッファーに展開し、展開したビットマップデータに基づいて、プリントエンジン５１を制御して、バーコード、及び、ＨＲＩ文字に係る画像を感熱ロール紙２２に記録する。
【００３４】
図５は、本願発明を適用する前の従来のＰＯＳ端末１におけるプリンター２、及び、ホストコンピューター３の動作を説明するためのシーケンス図である。
従来は、複数のレシート１０を発行する場合、プリンター２、及び、ホストコンピューター３は、以下のような手順で各種処理を行っていた。
すなわち、図５に示すように、まず、ホストコンピューター３は、プリンター２に記録データ８０を送信する（ステップＳＡ１）。
次いで、プリンター２の記録制御部６０は、受信した記録データ８０に基づいて、感熱ロール紙２２に記録データ８０の内容に準拠した画像の記録を行う（ステップＳＡ２）。
次いで、ホストコンピューター３は、感熱ロール紙２２の切断位置（レシート１０を発行すべく感熱ロール紙２２を切断すべき位置であり、以下、「紙切断位置」という。）が、カッターユニット２５のカット位置Ｔ２（カッターユニット２５によって切断が行われる位置。すなわち、固定刃３０と、可動刃３１とが対峙した位置。）に至るまで、所定量だけ感熱ロール紙２２を搬送することを指示する搬送指示コマンドＨＣをプリンター２に送信する（ステップＳＡ３）。
【００３５】
図６は、記録ヘッド２４と、カッターユニット２５との位置関係を説明するため、これら装置を模式的に示す図である。
図２、及び、図６に示すように、本実施形態では、感熱ロール紙２２が搬送される搬送経路（図６）Ｋ上の所定の位置に記録ヘッド２４が設けられ、この記録ヘッド２４の搬送方向Ｙ１下流に感熱ロール紙２２を切断するためのカッターユニット２５が設けられている。
図６に示すように、記録ヘッド２４によって画像が記録される記録位置Ｔ１（発熱素子が配置された位置）と、カッターユニット２５のカット位置Ｔ２との間には、ギャップＧが形成されている。
【００３６】
ステップＳＡ３において、ホストコンピューター３からプリンター２に搬送指示コマンドＨＣが送信された後、プリンター２の記録制御部６０は、受信した搬送指示コマンドＨＣに基づいて、プリントエンジン５１を制御して、感熱ロール紙２２を所定量だけ搬送する（ステップＳＡ４）。
次いで、ホストコンピューター３は、カッターユニット２５による感熱ロール紙２２の切断を指示する切断指示コマンドＳＣをプリンター２に送信する（ステップＳＡ５）。
次いで、プリンター２の記録制御部６０は、受信した切断指示コマンドＳＣに基づいて、プリントエンジン５１を制御して、感熱ロール紙２２を切断する（ステップＳＡ６）。
このようにして１のレシート１０を発行した後、さらに、次のレシート１０を発行する場合、ホストコンピューター３は、記録データ８０、搬送指示コマンドＨＣ、及び、切断指示コマンドＳＣを順次送信し、プリンター２は受信したコマンドを順次実行する（ステップＳＡ７〜ステップＳＡ１２）。
【００３７】
以上のようなシーケンスで、複数のレシート１０を発行していた従来では、以下のような問題があった。
【００３８】
図７（Ａ）は、従来の問題点を説明するため、感熱ロール紙２２を模式的に示す図である。
図６で説明したように、従来のシーケンスによれば、１のレシート１０に係る記録データ８０に基づく画像の記録が終了した後、感熱ロール紙２２の紙切断位置が、カット位置Ｔ２に至るまで感熱ロール紙２２が搬送された上で感熱ロール紙２２が切断され、その後、次のレシート１０に係る記録データ８０に基づく画像の記録が開始されるという手順であった。このため、図７に示すように、記録ヘッド２４の記録位置Ｔ１と、カッターユニット２５のカット位置Ｔ２との搬送方向Ｙ１におけるギャップＧに起因して、レシート１０の先端１０ａと、当該レシート１０に記録される先頭画像の先端との間に形成されるマージンＭが拡大化する傾向にあった。
【００３９】
そして、このマージンＭは、何ら画像が記録されない無駄な領域であるため、できるだけ当該マージンＭを縮小し、感熱ロール紙２２の無駄な消費を抑制したいとするニーズがある。
特に、ホストコンピューター３に対する改変、例えば、プログラム修正や、プログラムの書き換え、ホストコンピューター３自体の交換、各種機構の改変等を行うことなく、マージンＭを縮小したいとするニーズがあった。これは、例えば、本発明をＰＯＳ端末１に適用する際に、ホストコンピューター３に対する改変が必要ない分、作業性がよいからである。さらに、ある店舗において、当該店舗に設置された既存のホストコンピューター３にプリンター２を接続することによりＰＯＳ端末１を構築するような状況の場合に、既存のホストコンピューター３に対する改変を行う必要がないため、プリンター２を購入し、導入する店舗側にとっては作業の容易性、接続の確実性の面でメリットがあり、また、プリンター２を販売、提供する主体（例えば、製造メーカー）にとっては、プリンター２の商品価値を向上できるという点でメリットがあるからである。
以上を踏まえ、本実施形態に係るプリンター２は、以下の動作を実行する。
【００４０】
図８は、本実施形態に係るプリンター２、及び、ホストコンピューター３の動作を示すフローチャートであり、（Ａ）はホストコンピューター３の動作を、（Ｂ）はプリンター２の動作をそれぞれ示している。
図８では、１つのレシート１０を発行する場合におけるプリンター２、及び、ホストコンピューター３の動作を示している。
また、以下の説明において、制御部５０、記録制御部６０、及び、先頭画像情報記憶部６１の機能は、ＣＰＵがファームウェア等のプログラムを読み出して実行する等、ハードウェアとソフトウェアとの協働により実現される。
図８に示すように、まず、ホストコンピューター３が記録データ８０を送信する（ステップＳＢ１）。
次いで、プリンター２は、ホストコンピューター３が送信した記録データ８０を受信する（ステップＳＣ１）。受信した記録データ８０は、一旦、受信バッファー５６に格納される。
次いで、先頭画像情報記憶部６１は、記憶部５４に先頭画像データ７２（後述）が既に記憶されているか否かを判別する（ステップＳＣ２）。
以下、まず、ステップＳＣ２において先頭画像データ７２（後述）が未だ記憶部５４に記憶されていない場合（ステップＳＣ２：ＮＯ）の、プリンター２の動作を説明する。
なお、ステップＳＣ２で「ＮＯ」と判別される場合は、感熱ロール紙２２の先端部に、先頭画像が記録されていない状態を想定している。従って、記憶部５４に先頭画像データ７２が記憶されていない場合のほか、感熱ロール紙２２の交換のタイミングや、エラー等の何らかの原因により、先頭画像データ７２が記憶部５４に記憶されている場合であっても、感熱ロール紙２２の先端部に、先頭画像が記録されていない状態である場合には、ステップＳＣ２で「ＮＯ」と判別される。
先頭画像データ７２が未だ記憶部５４に記憶されていない場合（ステップＳＣ２：ＮＯ）、先頭画像情報記憶部６１は、記憶部５４に記憶されたキーワード文字列データ７３を参照し、キーワード文字列を取得する（ステップＳＣ３）。キーワード文字列については後述する。
次いで、先頭画像情報記憶部６１は、ステップＳＣ３で取得したキーワード文字列を利用して、ステップＳＣ１で受信した記録データ８０に含まれる画像の情報から、先頭画像の情報を抽出する（ステップＳＣ４）。
以下、ステップＳＣ４の動作について図４を援用して詳述する。
【００４１】
上述したように、本実施形態では、プリンター２によって発行される全てのレシート１０について、レシート１０の先端部（先頭）に、先頭画像として、所定の文字列が、所定の態様で記録される。具体的には、レシート１０の先端部に「ＡＡＡ△Ｓｔｏｒｅ」の文字列と、当該文字列に続く「ａｔ△ＢＢＢ△Ａｒｅａ」の文字列とが定型的に記録される。
そして、キーワード文字列とは、先頭画像を構成する文字列の末尾に該当する文字列のことであり、上記例では、「Ａｒｅａ」がこのキーワード文字列に該当する。
ステップＳＣ４において、先頭画像情報記憶部６１は、受信バッファー５６に格納されている記録データ８０を分析し、各文字列記録指示コマンド（所定の命令コードと、所定の文字コードからなる文字の組み合わせで表現された文字列とを含んで構成されるコマンド）に含まれた文字列の中から、キーワード文字列を検索する。上述したように、文字列記録指示コマンドにおいて、文字列は、所定の文字コードからなる文字の組み合わせによって表現されているため、既存の文字列検索用のアルゴリズムを用いて、記録データ８０から、キーワード文字列の検索が可能である。
次いで、先頭画像情報記憶部６１は、記録データ８０に基づいて画像を記録した場合に、その先頭に記録される文字列から、検索されたキーワード文字列に至るまでの一連の文字列が、先頭画像、すなわち、レシート１０の先端部に定型的に記録される文字列であるものとし、記録データ８０から、当該一連の文字列の記録に係る一連のコマンドを抽出する。図４（Ａ）の例では、「ＡＡＡ△Ｓｔｏｒｅ」の文字列の記録に係る一連のコマンドを含むコマンド群Ｈ１の各コマンド、及び、「ａｔ△ＢＢＢ△Ａｒｅａ」の文字列の記録に係る一連のコマンドを含むコマンド群Ｈ２の各コマンドを抽出する。このように、先頭画像情報記憶部６１は、文字列記録指示コマンドのみならず、文字列に施す装飾を指定するコマンドである文字列装飾コマンドも併せて抽出する。
以上のようにして抽出した一連のコマンド（上記例では、コマンド群Ｈ１及びコマンド群Ｈ２に含まれるコマンド）が、「先頭画像の情報」に該当する。
【００４２】
ステップＳＣ４において先頭画像の情報を抽出した後、先頭画像情報記憶部６１は、当該抽出した先頭画像の情報（一連のコマンド）を、先頭画像データ７２として記憶部５４に記憶する（ステップＳＣ５）。
次いで、記録制御部６０は、先頭画像を構成する文字列の行うち、切断のための搬送に伴って記録する文字列の行、換言すれば、切断のための搬送を開始した後、感熱ロール紙２２が切断される前に、記録すべき文字列の行、及び、記録すべき文字列の行のうち、切断を行うトリガーとなる文字列、及び、先頭画像に係る文字列の記録を開始する感熱ロール紙２２における位置を決定する（ステップＳＣ６）。
以下、ステップＳＣ６の動作について詳述する。
【００４３】
図９は、ステップＳＣ６の動作を説明するために、所定の態様で、先頭画像を感熱ロール紙２２に記録した様子を示す図である。
上述したように、本願発明は、記録ヘッド２４の記録位置Ｔ１と、カッターユニット２５のカット位置Ｔ２との搬送方向Ｙ１におけるギャップＧに起因して、レシート１０の先端１０ａと、当該レシート１０に記録される先頭画像の先端との間に形成されるマージンＭを縮小することをその目的の１つとしている。
当該目的を達成するために、プリンター２は、図７（Ｂ）に示すように、記録データ８０に基づく画像の記録が終了した後、感熱ロール紙２２を切断するために、感熱ロール紙２２を搬送方向Ｙ１に搬送する際に、当該搬送と並行して、先頭画像を記録するにようにし、これによりマージンＭを縮小する。
これを踏まえ、ギャップＧと、感熱ロール紙２２における先頭画像との関係が図９（Ａ）のような状態であるものとする。この図９（Ａ）では、感熱ロール紙２２の先端と、先頭画像の先端との距離が、マージンＭｍｉｎとなっている。このマージンＭｍｉｎは、レシート１０の枠と、画像とのバランスを考慮して、レシート１０の見栄え上の観点から、最低限必要とされるマージンである。従って、マージンＭをマージンＭｍｉｎとすれば、マージンＭを最も縮小させることができる。
そして図９（Ａ）に示す状態の場合、「ａｔ△ＢＢＢ△Ａｒｅａ」の文字列を感熱ロール紙２２に記録している途中で、一旦記録が中断され、感熱ロール紙２２の切断が行われ、切断の終了後、再び、「ａｔ△ＢＢＢ△Ａｒｅａ」の文字列の残りの部分の記録が行われることとなる。この場合、文字列の記録の一時的な中断が、記録された文字列の白スジ、ドットずれの要因となり、印刷品質の低下を招く可能性がある。特に、感熱ロール紙２２の切断の際、カッターユニット２５の物理的な接触に伴って感熱ロール紙２２に一定の圧力が加わるため、切断の前後で、感熱ロール紙２２に多少のずれが生じていることがあり、白スジやドットずれが生じる可能性があると言える。
【００４４】
また、ギャップＧと、感熱ロール紙２２における先頭画像との関係が図９（Ｂ）のような状態であるものとする。
図９（Ｂ）では、「ＡＡＡ△Ｓｔｏｒｅ」の文字列と、「ａｔ△ＢＢＢ△Ａｒｅａ」の文字列との間が、記録データ８０により想定されている離間量よりも大きい状態である。
この場合、図９（Ａ）のような印刷品質の低下は生じないものの、「ＡＡＡ△Ｓｔｏｒｅ」の文字列と、「ａｔ△ＢＢＢ△Ａｒｅａ」の文字列との想定以上の離間に起因して、レシート１０に記録された画像の見た目が悪くなる可能性がある。
また、ギャップＧと、感熱ロール紙２２における先頭画像との関係が図９（Ｃ）のような状態であるものとする。
この場合、図９（Ａ）における印刷品質の低下を防止でき、かつ、図９（Ｂ）のような見た目の悪さを防止できる。
以上を踏まえ、ステップＳＣ６では、先頭画像が図９（Ｃ）に示す態様で記録されるように、先頭画像を構成する複数行の文字列のうち、感熱ロール紙２２の切断の前に記録すべき文字列の行、及び、先頭画像の記録を開始するタイミングを決定する。
以下、さらに詳述する。
【００４５】
図１０は、仮想的に、感熱ロール紙２２の全域に、プリンター２の解像度に準拠した画素を配置したとした場合の各画素を、所定の座標系に展開した様子を示す図である。座標系において各画素は、感熱ロール紙２２の形状に準拠してドットマトリクス上に配置されており、各画素は、原点に対する位置により特定可能である。
図９（Ｃ）、及び、図１０を参照し、図９（Ｃ）における点Ｑ０が、座標系の原点Ｐ０（０、０）に対応しており、また、点Ｑ１がｘ軸上の点である点Ｐ１（ｘ１、ｙ１）に、点Ｑ２がｙ軸上の点である点Ｐ２（ｘ２、ｙ２）に、点Ｑ３が点Ｐ３（ｘ３、ｙ３）にそれぞれ対応している。点Ｐ１は、原点Ｐ０から、感熱ロール紙２２の幅に対応するドット数分、ｘ軸（＋）方向に離間した点であり、点Ｐ２は、原点Ｐ０から、プリンター２における記録ヘッド２４の記録位置Ｔ１と、カッターユニット２５のカット位置Ｔ２との搬送方向Ｙ１におけるギャップＧに対応するドット数分、ｙ軸（−）方向に離間した点である。また、点Ｐ３は、点Ｐ１からギャップＧに対応するドット数分、ｙ軸（−）方向に離間し、かつ、点Ｐ２から感熱ロール紙２２の幅に対応するドット数分、ｘ軸（＋）方向に離間した点である。
ステップＳＣ６において、まず、制御部５０は、所定の記憶領域に図１０に示す座標系を定義する。
次いで、制御部５０は、以下の手順で、記憶部５４に記憶された先頭画像データ７２に基づいて、所定の装飾を施した先頭画像の画素のデータ（以下、「描画データ」という。）を座標系に展開する。
すなわち、制御部５０は、定義した座標系において、文字列間のスペースのドット数を変更することなく、かつ、いずれの文字列の描画データも仮想直線ＫＴ２を跨がない状態（＝いずれかの文字列の描画データと、当該文字列の次の文字列の描画データとの間に仮想直線ＫＴ２が延在している状態、又は、先頭画像を構成する複数行の文字列のうち、最後の行の文字列の描画データのｙ軸（−）方向の端よりも、ｙ軸（−）方向側に仮想直線ＫＴ２が位置している状態）で、マージンＭｍｉｎに対応するドット数分ｘ軸から離間した仮想直線ＫＴ１と、点Ｐ２と点Ｐ３とを結ぶ仮想直線ＫＴ２とで囲まれる範囲に、できるだけ多くの行の文字列の描画データが展開された状態となるように、座標系に先頭画像の描画データを展開する。
【００４６】
例えば、先頭画像の描画データが、所定の装飾を施した「ＡＡＡ△Ｓｔｏｒｅ」の文字列に係る描画データと、当該描画データから予め定められたスペースに対応するドット数分離間した、所定の装飾を施した「ａｔ△ＢＢＢ△Ａｒｅａ」の文字列に係る描画データとからなる場合において、文字列間のスペースに対応するドット数を変更することなく、仮想直線ＫＴ１と仮想直線ＫＴ２とで囲まれる範囲に、全ての文字列に係る描画データを展開可能な場合は、当該範囲に、全ての文字列に係る描画データを展開する。一方、仮想直線ＫＴ１と仮想直線ＫＴ２とのｙ軸方向のドット数に比して、文字列間のスペースを含めた先頭画像の描画データのｙ軸方向のドット数が大きく、全ての文字列に係る描画データを仮想直線ＫＴ１と仮想直線ＫＴ２とで囲まれる範囲に展開することができず、かつ、仮想直線ＫＴ１と仮想直線ＫＴ２とのｙ軸方向のドット数に比して、「ＡＡＡ△Ｓｔｏｒｅ」の文字列に係る描画データのｙ軸方向のドット数が小さく、「ＡＡＡ△Ｓｔｏｒｅ」の文字列に係る描画データは当該範囲に展開可能な場合は、図１０に示すように、「ＡＡＡ△Ｓｔｏｒｅ」の文字列に係る描画データと、「ａｔ△ＢＢＢ△Ａｒｅａ」の文字列に係る描画データとの間のスペースに、仮想直線ＫＴ２が延在するような状態で、各文字列に係る描画データを座標系に展開する。ここで、仮想直線ＫＴ１と仮想直線ＫＴ２とで挟まれた範囲に展開された文字列は、切断のための搬送の開始後、切断を行う前に、記録される文字列であり、仮想直線ＫＴ２よりｙ軸（−）方向に展開された文字列は、当該切断後に記録される文字列である。制御部５０は、座標系を利用して、感熱ロール紙２２の切断のための搬送の開始後、切断を行う前に、記録を完了することが可能な文字列について、できるだけ多くの文字列を記録するとした場合に、先頭画像を構成する文字列の行のうち、当該切断前に記録すべき行を特定している。
【００４７】
次いで、制御部５０は、座標系に展開した文字列に係る描画データのうち、先頭の文字列に係る描画データのｙ軸（＋）側の端と、ｘ軸との離間量Ｄ１（図１０参照）のドット数を検出する。
図１０の例では、「ＡＡＡ△Ｓｔｏｒｅ」の文字列に係る描画データと、「ａｔ△ＢＢＢ△Ａｒｅａ」の文字列に係る描画データとの間のスペースに仮想直線ＫＴ２が延在するような状態で、先頭画像に係る描画データが座標系に展開されているが、この場合、図９（Ｃ）に示すように、離間量Ｄ１に対応する距離Ｌ１分、感熱ロール紙２２の切断位置（先端）から離間した位置から先頭画像の記録を始めれば、「ＡＡＡ△Ｓｔｏｒｅ」の文字列の記録が完了した後、「ａｔ△ＢＢＢ△Ａｒｅａ」の文字列の記録を開始する前に、カッターユニット２５による感熱ロール紙２２の切断が行われ、その後、「ａｔ△ＢＢＢ△Ａｒｅａ」の文字列の記録が開始されることとなり、図９（Ａ）を用いて説明した印刷品質の低下を防止できる。
【００４８】
ステップＳＣ６において、制御部５０は、以上のようにして座標系に先頭画像に係る描画データを展開した後、仮想直線ＫＴ１と仮想直線ＫＴ２とで囲まれた範囲に展開した文字列の行を、切断のための搬送の開始後、切断前に感熱ロール紙２２に記録する行と決定する。
さらに、ステップＳＣ６において、制御部５０は、これら切断前に記録すべき文字列の行のうち、切断前に記録する最後の行の文字列を、切断を行うトリガーとなる文字列として、決定する。
さらに、ステップＳＣ６において、制御部５０は、離間量Ｄ１（図１０）に対応する距離Ｌ１（図９（Ｃ））だけ、感熱ロール紙２２の先端から離間した位置を、先頭画像の記録を開始する位置（記録開始位置Ｚ１、図９（Ｃ）参照）として決定する。
なお、座標系における離間量Ｄ１のドット数と、感熱ロール紙２２における距離Ｌ１の長さとを対応づけて記憶するテーブルが事前に所定の記憶領域に記憶されており、制御部５０は、当該テーブルに基づいて、離間量Ｄ１を距離Ｌ１へと変換する。距離Ｌ１の値は、例えば、搬送モーター２６がステッピングモーターで構成されている場合において、ステップ数によって表現された値であっても良い。
ここで、「切断を行うトリガーとなる文字列」について説明する。
例えば、座標系に展開された先頭画像の描画データの状態が、図１０に示す状態であるものとする。この場合、切断のための搬送の開始後、切断前に感熱ロール紙２２に記録する行は、「ＡＡＡ△Ｓｔｏｒｅ」の文字列となる。さらに、この場合、実際に先頭画像が記録された感熱ロール紙２２の状態は、図９（Ｃ）に示す状態となる。すなわち、切断のための搬送の開始後、切断前に「ＡＡＡ△Ｓｔｏｒｅ」の文字列が記録され、「ＡＡＡ△Ｓｔｏｒｅ」の文字列の記録の完了後、「ａｔ△ＢＢＢ△Ａｒｅａ」の文字列の記録が開始される前に、感熱ロール紙２２の切断が実行され、その後、「ａｔ△ＢＢＢ△Ａｒｅａ」の文字列が記録されることとなる。
このように、本実施形態では、感熱ロール紙２２の切断の前に記録すべき文字列のうち、最後の文字列の記録が完了した後、感熱ロール紙２２を切断する構成となっており、上述したように当該構成を実現するために、ステップＳＣ６において、切断前に記録すべき文字列の行を決定すると共に、記録開始位置Ｚ１を決定している。そして、ステップＳＣ６では、感熱ロール紙２２の切断の前に記録すべき文字列のうち、最後の文字列、換言すれば、切断を行う直前に記録される文字列を、切断を行うトリガーとなる文字列として決定している。なお、後述するが、記録制御部６０は、当該文字列を記録したことをトリガーとして、換言すれば、当該文字列に係る文字列記録指示コマンドを実行したことをトリガーとして、感熱ロール紙２２の切断を実行する。
【００４９】
さて、前掲図８に戻り、先頭画像情報記憶部６１は、ステップＳＣ６で決定した、切断前に記録する文字列の行、切断のトリガーとなる文字列、及び、先頭画像の記録を開始する位置を示す情報を先頭画像データ７２と対応づけて記憶する（ステップＳＣ７）。
なお、後述するように、切断のトリガーとなる文字列を記録したことをトリガーとして、カッターユニット２５による切断が行われる。従って、ステップＳＣ７において、切断のトリガーとなる文字列が記憶されることにより、特定の文字列（切断のトリガーとなる文字列）と、所定の動作（カッターユニット２５による感熱ロール紙２２の切断）とが対応付けられたこととなる。この場合、記憶部５４は、特定の文字列（切断のトリガーとなる文字列）を、所定の動作（カッターユニット２５による感熱ロール紙２２の切断）と対応付けて記憶する設定部として機能する。
次いで、記録制御部６０は、記録データ８０に基づいて、プリントエンジン５１を制御して、感熱ロール紙２２に画像の記録を行う（ステップＳＣ８）。
次いで、ホストコンピューター３は、従来と同様、搬送指示コマンドＨＣをプリンター２に送信する（ステップＳＢ２）。プリンター２の記録制御部６０は、受信した搬送指示コマンドＨＣを読み飛ばす（ステップＳＣ９）。また、ホストコンピューター３は、切断指示コマンドＳＣをプリンター２に送信するが（ステップＳＢ３）、プリンター２の記録制御部６０は、受信した切断指示コマンドＳＣを読み飛ばす（ステップＳＣ１０）。
ホストコンピューター３には、何ら改変が加えられていないため、ホストコンピューター３は、従来と同様、記録データ８０、搬送指示コマンドＨＣ、切断指示コマンドＳＣの順に、順次、コマンドをプリンター２に送信するが、本実施形態に係るプリンター２は、ホストコンピューター３の制御によることなく、マージンＭを縮小するための所定の手順により切断のための搬送、切断を実行するため、これらコマンドを読み飛ばしている。また、プリンター２側で、これらコマンドを読み飛ばすという処理を行うため、ホストコンピューター３は、従来と同様の手順でコマンドを送信すればよく、ホストコンピューター３に対する改変が必要ない。
【００５０】
次いで、プリンター２の記録制御部６０は、切断のための感熱ロール紙２２の搬送を開始する（ステップＳＣ１１）。
感熱ロール紙２２の搬送中、記録制御部６０は、感熱ロール紙２２における記録開始位置Ｚ１（図９（Ｃ）参照）が、記録ヘッド２４の記録位置Ｔ１に至ったか否かを監視する（ステップＳＣ１２）。なお、プリンター２では、感熱ロール紙２２の搬送量を、例えば、ステッピングモーターとして構成された搬送モーター２６のステップ数等により管理しており、この搬送量や、感熱ロール紙２２の位置を検出する所定のセンター等の検出値に基づいて、記録開始位置Ｚ１や、切断位置のプリンター２における位置を管理しており、記録開始位置Ｚ１や切断位置が、記録位置Ｔ１やカット位置Ｔ２に至ったことを検出可能である。
感熱ロール紙２２における記録開始位置Ｚ１が、記録ヘッド２４の記録位置Ｔ１に至った場合、記録制御部６０は、記憶部５４の先頭画像データ７２、及び、ステップＳＣ７において先頭画像データ７２と対応づけて記憶された、切断前に記録すべき行の情報に基づいて、先頭画像を構成する複数行の文字列のうち、切断前に記録すべき行の文字列に係る制御コマンドを読み出して、実行することにより、当該行の文字列を記録する（ステップＳＣ１３）。
例えば、図９（Ｃ）を参照し、「ＡＡＡ△Ｓｔｏｒｅ」の文字列と、「ａｔ△ＢＢＢ△Ａｒｅａ」の文字列のうち、「ＡＡＡ△Ｓｔｏｒｅ」の文字列が、切断前に記録すべき行の文字列に該当する場合、記録制御部６０は、記憶部５４の先頭画像データ７２に含まれるコマンドのうち、コマンド群Ｈ１に係るコマンドである文字列装飾コマンドＭＳ１、及び、文字列記録指示コマンドＭＫ１を取得し、これらコマンドを読み出して実行することにより、所定の装飾を施した上で、「ＡＡＡ△Ｓｔｏｒｅ」の文字列を感熱ロール紙２２の搬送量に記録する。
このようにしてステップＳＣ６において切断の前に記録すべき行と決定された行の文字列を順次記録していく間、記録制御部６０は、ステップＳＣ７において先頭画像データ７２と対応づけて記憶した情報に基づいて、ステップＳＣ６において切断のトリガーとなる文字列（＝切断前に最後に記録する文字列）と決定された文字列に係る文字列記録指示コマンドに基づく、当該文字列の記録が完了したか否かを監視する（ステップＳＣ１４）。
当該文字列記録指示コマンドに基づく当該文字列の記録が完了した場合（ステップＳＣ１４：ＹＥＳ）、記録制御部６０は、感熱ロール紙２２の搬送を停止し、カッターユニット２５により感熱ロール紙２２を切断する（ステップＳＣ１５）。これにより、切断前に記録すべき文字列の全ての記録が完了した後、新たな文字列の記録が開始される前に、感熱ロール紙２２が切断されることとなり、図９（Ａ）を用いて説明した印刷品質の劣化を防止できる。
つまり、本実施形態に係る記録制御部６０は、制御装置たるホストコンピューター３から受信した記録データ８０に含まれていた文字列記録指示コマンドに基づいて生成され、記憶された先頭画像データ７２のうち、所定の条件を満たす特定の文字列の記録に係る文字列記録指示コマンドを実行した場合、感熱ロール紙２２の切断という予め定められた特定のメカ動作を実行する構成となっている。
【００５１】
次いで、記録制御部６０は、先頭画像のうち、未だ記録されていない行の文字列が存在するか否かを判別し（ステップＳＣ１６）、存在する場合（ステップＳＣ１６：ＹＥＳ）、先頭画像データ７２における当該行の文字列に係る制御コマンドに基づいて、所定の装飾を施した上で、当該行の文字列を記録する（ステップＳＣ１７）。
【００５２】
さて、ステップＳＣ２に戻り、先頭画像データ７２が記憶部５４に既に記憶されている場合（ステップＳＣ２：ＹＥＳ）について、説明する。
なお、ステップＳＣ２で「ＹＥＳ」と判別される場合は、記憶部５４に記憶された先頭画像データ７２に基づいて、感熱ロール紙２２の先端部に、既に、先頭画像が記録されている状態を想定している。感熱ロール紙２２の切断のための搬送に伴って先頭画像が記録されているか否かをフラグによって管理したり、光学的な検出手段で検出するようにしたりするようにしても良い。これにより、感熱ロール紙２２の交換のタイミングや、何らかのエラーにより感熱ロール紙２２に先頭画像が記録されていない場合に、そのことを適切に検出可能である。
さて、先頭画像データ７２が記憶部５４に既に記憶されている場合（ステップＳＣ２：ＹＥＳ）、記録制御部６０は、受信バッファー５６に記憶された記録データ８０のうち、先頭画像に係るコマンドを除くコマンドに基づいて、画像の記録を行う（ステップＳＣ１８）。例えば、記録データ８０の状態が、図４（Ａ）が示す状態である場合、記録制御部６０は、コマンド群Ｈ１、及び、コマンド群Ｈ２を除くコマンドを順次読み出して実行することにより、画像の記録を行う。これにより、先頭画像を重複して記録することなく、画像の記録を行うことができる。
なお、ステップＳＣ１８では、記録制御部６０は、記憶部５４に先頭画像データ７２と、受信バッファー５６記憶された記録データ８０との比較結果に基づいて、記録データ８０に含まれるコマンドのうち、先頭画像に係るコマンド以外のコマンドを特定する。
ステップＳＣ１８において、感熱ロール紙２２に画像を記録した後、記録制御部６０は、処理手順をステップＳＣ９へ移行し、切断のための搬送に伴う先頭画像の記録を行う。
【００５３】
以上説明したように、本実施形態によれば、記録制御部６０は、記録データ８０に、特定の文字列を含む文字列を指定した文字列記録指示コマンドが含まれている場合には、当該文字列記録指示コマンドに係る動作の実行と対応させて、当該特定の文字列と対応する動作として予め定められた動作を実行する。
より詳細には、本実施形態に係る記録制御部６０は、制御装置たるホストコンピューター３から受信した記録データ８０に含まれていた文字列記録指示コマンドに基づいて生成され、記憶された先頭画像データ７２のうち、所定の条件を満たす特定の文字列の記録に係る文字列記録指示コマンドを実行した場合、感熱ロール紙２２の切断という予め定められた特定のメカ動作を実行する構成となっている。
これによれば、プリンター２は、記録データ８０に、特定の文字列を含む文字列を指定した文字列記録指示コマンドが含まれている場合には、当該文字列記録指示コマンドに係る動作の実行と対応させて、当該特定の文字列と対応する動作として予め定められた動作を実行するため、感熱ロール紙２２への記録中に、記録データ８０における文字列記録指示コマンドの態様に応じて、各文字列記録指示コマンドに対応した所定のタイミングで所定の動作を実行することが可能となる。特に、ホストコンピューター３は、プリンター２に対して通常どおり、記録データ８０を出力すれば、プリンター２側で、自動で、文字列記録指示コマンドの実行と対応させて、所定のタイミングで所定の動作を行われることとなるため、ホストコンピューター３に対して、改変を行う必要がない。
【００５４】
また、本実施形態では、プリンター２は、ホストコンピューター３から受信した記録データ８０に基づいて、感熱ロール紙２２の先端部に定型的に記録される１又は複数行の文字列の記録に係る文字列記録指示コマンドを先頭画像データ７２として記憶する先頭画像情報記憶部６１をさらに備えている。そして、記録制御部６０は、カッターユニット２５により感熱ロール紙２２を切断する場合、先頭画像情報記憶部に６１より記憶された先頭画像データ７２に基づいて、感熱ロール紙２２の切断位置の搬送方向上流側に、記録ヘッド２４により文字列を記録させつつ、感熱ロール紙２２を搬送方向Ｙ１に搬送し、先頭画像データ７２に含まれる１又は複数の文字列の記録に係る文字列記録指示コマンドのうち、記録前に記録すべ文字列のうち最後の文字列（特定の文字列）の記録に係る文字列記録指示コマンドに基づいて当該文字列を記録した後、カッターユニット２５により感熱ロール紙２２を切断する。
これによれば、感熱ロール紙２２の切断に際し、記録ヘッド２４とカッターユニット２５との搬送方向における離間に起因して発生する感熱ロール紙２２の先端と、感熱ロール紙２２に記録される先頭画像の先端とのマージンＭを縮小できる。
特に、先頭画像データ７２に含まれる１又は複数の文字列の記録に係る文字列記録指示コマンドのうち、指定された文字列の記録に係る文字列記録指示コマンドに基づいて当該指定された文字列を記録した後に、感熱ロール紙２２の切断を行う構成であるため、切断のトリガーとなる文字列を適切に決定しておくことにより、適切なタイミングで感熱ロール紙２２の切断を行うことが可能となる。
【００５５】
＜第２実施形態＞
次いで、第２実施形態について説明する。
図１１は、本実施形態に係る記録データ８０と、当該記録データ８０に基づいて画像が記録されたレシート１０とを示す図である。
図１１と、図４との比較で明らかなように、第１実施形態に係るレシート１０と、本実施形態に係るレシート１０とでは、そのレイアウトが異なっている。すなわち、本実施形態に係るレシート１０では、エリアとして、先頭画像エリアＡ１、及び、レシート情報エリアＡ２が形成されており、グラフィックエリアＡ３、及び、バーコードエリアＡ４が形成されていない。そして、本実施形態に係るレシート１０では、図１１（Ｂ）に示すように、その末端に「Ｔｈａｎｋ△ｙｏｕ」という文字列が記録される。当該文字列は、全てのレシート１０について、同一の態様で記録される。
このため、図１１（Ａ）に示すように、レシート情報エリアＡ２の画像の記録に係るコマンド群Ｈ３には、「Ｔｈａｎｋ△ｙｏｕ」の文字列の記録に係る文字列装飾コマンドＭＳ３、及び、文字列記録指示コマンドＭＫ３を含んで構成されるコマンド群Ｈ４が含まれている。
【００５６】
本実施形態に係るプリンター２は、レシート１０の末端に定型的に「Ｔｈａｎｋ△ｙｏｕ」の文字列が記録されることを活用し、以下の処理を行う。
【００５７】
図１２は、本実施形態に係るプリンター２の動作の説明に利用する図である。
本実施形態では、プリンター２の記憶部５４には、「Ｔｈａｎｋ△ｙｏｕ」の文字列と、「Ｔｈａｎｋ△ｙｏｕ」の文字列を記録した後、先頭画像を記録しつつ、感熱ロール紙２２を、記録位置Ｔ１とカット位置Ｔ２とのギャップＧに対応する距離分搬送した後、カッターユニット２５により感熱ロール紙２２を切断することを示す情報とが対応付けて記憶されている。この場合、記憶部５４は、１の特定の文字列と、記録ヘッド２４により所定の画像を記録しつつ搬送部により記録媒体を所定の搬送量搬送した後、切断部により記録媒体を切断することとを対応付けて記憶する設定部として機能する。
そして、記録データ８０に基づく感熱ロール紙２２への画像の記録に際し、プリンター２の記録制御部６０は、文字列記録指示コマンドを実行して所定の文字列を記録する場合、当該文字列記録指示コマンドが指定する文字列に「Ｔｈａｎｋ△ｙｏｕ」という文字列が含まれているか否かを、既存の文字列検索を利用して判別する。文字列記録指示コマンドが指定する文字列に「Ｔｈａｎｋ△ｙｏｕ」という文字列が含まれている場合、記録制御部６０は、当該文字列記録指示コマンドに基づいて「Ｔｈａｎｋ△ｙｏｕ」の文字列を記録した後、プリンター２の記憶部５４に記憶された情報に基づいて、以下の動作を実行する。
すなわち、記録制御部６０は、図１２に示すように、「Ｔｈａｎｋ△ｙｏｕ」の文字列を記録した後（図１２（Ａ）の状態）、当該文字列の搬送方向上流側の所定の位置に先頭画像を記録しつつ、ギャップＧに対応する搬送量分、感熱ロール紙２２を搬送する（図１２（Ｂ）の状態）。これにより、「Ｔｈａｎｋ△ｙｏｕ」の文字列の搬送方向上流側であり、かつ、先頭画像の先端の搬送方向下流側に位置する感熱ロール紙２２の紙切断位置に、カット位置Ｔ２が位置した状態となる。そして、記録制御部６０は、カッターユニット２５を駆動して、感熱ロール紙２２を切断する。なお、記録制御部６０は、感熱ロール紙２２の切断のための搬送、及び、切断に際し、ホストコンピューター３から受信した搬送指示コマンドＨＣ、及び、切断指示コマンドＳＣは、読み捨てる。
このように、本実施形態に係る記録制御部６０は、レシート１０の末端に定型的に記録される「Ｔｈａｎｋ△ｙｏｕ」の文字列を記録したことをトリガーとして、当該文字列と対応付けられた所定の処理、具体的には、先頭画像を記録しつつ、感熱ロール紙２２をギャップＧに対応する距離分搬送した後、カッターユニット２５により感熱ロール紙２２を切断するという処理を実行する。これにより、第１実施形態と同様、マージンＭを縮小できる、さらに、「Ｔｈａｎｋ△ｙｏｕ」の文字列がレシート１０の末端に定型的に記録されることを最大限活用して、「Ｔｈａｎｋ△ｙｏｕ」の文字列と、先頭画像の先端との間の適切な位置で感熱ロール紙２２を切断することが可能となる。
【００５８】
なお、本実施形態では、マージンＭの縮小を目的として、切断のための搬送と並行して、先頭画像を記録する構成であったが、先頭画像を記録しない構成であってもよい。
この場合、設定部として機能する記憶部５４には、「Ｔｈａｎｋ△ｙｏｕ」の文字列と、「Ｔｈａｎｋ△ｙｏｕ」の文字列を記録した後、感熱ロール紙２２を、記録位置Ｔ１とカット位置Ｔ２とのギャップＧに対応する距離分搬送した後、カッターユニット２５により感熱ロール紙２２を切断することを示す情報とが対応付けて記憶される。
このような構成であっても、「Ｔｈａｎｋ△ｙｏｕ」の文字列を記録した後、「Ｔｈａｎｋ△ｙｏｕ」の文字列の上流側の適切な位置で、カッターユニット２５によって感熱ロール紙２２を切断することが可能となる。
【００５９】
以上説明したように、本実施形態では、設定部として機能する記憶部５４には、「Ｔｈａｎｋ△ｙｏｕ」の文字列（１の特定の文字列）と、記録ヘッド２４により先頭画像を記録しつつ搬送部により感熱ロール紙２２をギャップＧに相当する所定の搬送量搬送した後、カッターユニット２５により感熱ロール紙２２を切断することを示す情報とが対応付けて記憶されている。そして、記録制御部６０は、「Ｔｈａｎｋ△ｙｏｕ」の文字列に係る文字列記録指示コマンドに基づく当該文字列の記録をトリガーとして、記録ヘッド２４により先頭画像を記録しつつ感熱ロール紙２２をギャップＧに相当する所定の搬送量搬送した後、カッターユニット２５により感熱ロール紙２２を切断する。
これによれば、マージンＭを縮小しつつ、「Ｔｈａｎｋ△ｙｏｕ」の文字列と、先頭画像の先端との間の適切な位置で感熱ロール紙２２を切断することが可能となる。
【００６０】
＜第３実施形態＞
次いで、第３実施形態について説明する。
本実施形態に係るプリンター２は、ホストコンピューター３から受信した記録データ８０に、ある特定の文字列を指定した文字列記録指示コマンドが含まれている場合は、当該文字列記録指示コマンドと対応させて、感熱ロール紙２２の搬送方向Ｙ１への搬送を行うことが可能に構成されている。
【００６１】
図１３は、本実施形態に係るプリンター２の動作を説明するため、レシート１０を模式的に示す図である。
従来のレシート１０のレイアウトが、図１３（Ａ）に示す状態であったとする。そして、その後の変更により、図１３（Ｂ）に示すように、レシート情報エリアＡ２における購入商品エリアＡ２１と、合計金額エリアＡ２２との間に、１行分のスペースを加えることとなったとする。なお、購入商品エリアとは、顧客が購入した商品の名称、及び、その単価の一覧が記録されるエリアであり、合計金額エリアＡ２２とは、合計購入金額が記録されるエリアである。この合計金額エリアＡ２２には、必ず「Ｔｏｔａｌ」の文字列が記録される。従って、記録データ８０には、「ＸＸＸ△“Ｔｏｔａｌ△○○○”」（ただし、○○○は任意の文字列）と記述された文字列記録指示コマンドが含まれている。
本実施形態では、ホストコンピューター３に対して、一切の改変を行うことなく、上述したレイアウトの変更に対応可能である。
【００６２】
図１４は、図１３で示したレイアウトの変更があった後においてレシート１０を発行する際の、ホストコンピューター３とプリンター２との動作を示すフローチャートである。（Ａ）は、ホストコンピューター３の動作を示し、（Ｂ）は、プリンター２の動作を示している。
レシート１０の発行に際し、ホストコンピューター３は、プリンター２に対して、制御コマンドに含まれる記録データ８０を送信する（ステップＳＤ１）。
プリンター２は、記録データ８０を受信する（ステップＳＥ１）。受信した記録データ８０は、受信バッファー５６に格納される。
次いで、プリンター２の記録制御部６０は、記憶部５４に記憶された所定のデータを参照する（ステップＳＥ２）。この所定のデータは、特定の文字列と、当該特定の文字列を含む文字列を指定した前記文字列記録指示コマンドの実行と対応させて行うべき特定の動作と、が対応づけて記憶されたデータである。この場合、記憶部５４は、特定の文字列と所定の動作とを対応付けて記憶する設定部として機能する。本実施形態では、「Ｔｏｔａｌ」という文字列と、「Ｔｏｔａｌ」の文字列を含む文字列の記録に係る文字列記録指示コマンドの実行の「前」に、１行分、感熱ロール紙２２の搬送を行う旨を示す情報と、が対応づけて記憶される。図１３（Ｂ）に示すように、「Ｔｏｔａｌ」の文字列が記録される前に、１行分、感熱ロール紙２２が搬送されることにより、購入商品エリアＡ２１と、合計金額エリアＡ２２との間に１行分のスペースが形成されることとなる。
レシート１０のレイアウトの変更があった場合は、上述した所定のデータを新たにプリンター２に記憶させる必要が生じる。ただし、ホストコンピューター３に対する改変は必要ない。
次いで、プリンター２の記録制御部６０は、記録データ８０に基づいて、感熱ロール紙２２に画像の記録を行う（ステップＳＥ３）。その際、プリンター２は、参照した所定のデータの内容に基づいて、文字列記録指示コマンドを実行して所定の文字列を記録する場合、当該文字列記録指示コマンドが指定する文字列に「Ｔｏｔａｌ」という文字列が含まれているか否かを、既存の文字列検索を利用して判別し、含まれている場合は、当該文字列記録指示コマンドを実行する前に、１行分、感熱ロール紙２２の搬送を行う。これにより、購入商品エリアＡ２１と、合計金額エリアＡ２２との間に、１行分のスペースが形成されることとなる。
つまり、本実施形態に係るプリンター２は、記録データ８０に、「Ｔｏｔａｌ」の文字列を含む文字列を指定した文字列記録指示コマンドが含まれている場合には、当該文字列記録指示コマンドに係る動作の実行と対応させて、当該コマンドの実行前に、予め定められた１行分の搬送というメカ動作を実行しており、このような動作を行うことにより、ホストコンピューター３に対する改変を行うことなく、レシート１０のレイアウトの変更に対応している。
【００６３】
以上説明したように、記録制御部６０は、記録データ８０に、１の特定の文字列を含む文字列を指定した文字列記録指示コマンドが含まれている場合には、当該文字列記録指示コマンドに係る動作の実行と対応させて、感熱ロール紙２２を搬送する。
これによれば、プリンター２は、特定の文字列を含む文字列を指定した文字列記録指示コマンドに基づいて、適切なタイミングで、感熱ロール紙２２の搬送を行うことが可能である。
【００６４】
＜第４実施形態＞
次いで、第４実施形態について説明する。
本実施形態に係るプリンター２は、ホストコンピューター３から受信した記録データ８０に、ある特定の文字列を指定した文字列記録指示コマンドが含まれている場合は、当該文字列記録指示コマンドと対応させて、放音部５７による音の出力を実行する。
放音部５７は、音の出力により、周囲に報知する報知部として機能する。
一例を挙げて具体的に説明すると、図１３を参照し、「ＩｔｅｍＣ」が、酒や煙草等の未成年者に販売できない商品等、販売に制限がかかる商品であるものとする。この場合、「ＩｔｅｍＣ」が購入商品に含まれていることを音によって報知し、レジを担当する者等に認識させることができれば、年齢確認等の適切な処理の実行へとつながることとなり、利便性が向上する。
図１４を援用して本実施形態に係るプリンター２の動作について説明すると、プリンター２は、ホストコンピューター３が送信した記録データ８０（ステップＳＤ１）を受信する（ステップＳＥ１）。受信した記録データ８０は、受信バッファー５６に格納される。
次いで、プリンター２の記録制御部６０は、記憶部５４に記憶された所定のデータを参照する（ステップＳＥ２）。この所定のデータは、「ＩｔｅｍＣ」の文字列と、「ＩｔｅｍＣ」の文字列を含む文字列の記録に係る文字列記録指示コマンドの実行と併せて、放音部５７により所定の態様で所定の音を出力する旨の情報と、が対応づけて記憶されたデータである。この場合、記憶部５４は、特定の文字列と所定の動作とを対応付けて記憶する設定部として機能する。次いで、プリンター２の記録制御部６０は、記録データ８０に基づいて、感熱ロール紙２２に画像の記録を行う（ステップＳＥ３）。その際、プリンター２は、参照した所定のデータの内容に基づいて、文字列記録指示コマンドを実行して所定の文字列を記録する場合、当該文字列記録指示コマンドが指定する文字列に「ＩｔｅｍＣ」という文字列が含まれているか否かを、既存の文字列検索を利用して判別し、含まれている場合は、当該文字列記録指示コマンドの実行と併せて、放音部５７により所定の態様で所定の音を出力する。これにより、ＩｔｅｍＣが購入されたことを報知可能となる。
つまり、本実施形態に係るプリンター２は、記録データ８０に、「ＩｔｅｍＣ」の文字列を含む文字列を指定した文字列記録指示コマンドが含まれている場合には、当該文字列記録指示コマンドに係る動作の実行と対応させて、当該コマンドの実行前に、予め定められた音の出力というメカ動作を実行しており、このような動作を行うことにより、ホストコンピューター３に対する改変を行うことなく、ＩｔｅｍＣの購入と併せて所定の音を出力可能となる。
【００６５】
以上説明したように、本実施形態に係る記録制御部６０は、記録データ８０に、１の特定の文字列を含む文字列を指定した文字列記録指示コマンドが含まれている場合には、当該文字列記録指示コマンドに係る動作の実行と対応させて、放音部５７により音を出力する。
これによれば、プリンター２は、特定の文字列を含む文字列を指定した文字列記録指示コマンドに基づいて、適切なタイミングで、音の出力が可能である。
【００６６】
＜第５実施形態＞
次いで、第５実施形態について説明する。
本実施形態に係るプリンター２は、ホストコンピューター３から受信した記録データ８０に、ある特定の文字列を指定した文字列記録指示コマンドが含まれている場合は、当該文字列記録指示コマンドと対応させて、表示部５３を制御して、ディスプレー１２に所定の情報を表示させる。
以下の説明では、表示部５３は、情報の表示により周囲に報知する報知部として機能する。
一例を挙げて具体的に説明すると、図１３を参照し、「ＩｔｅｍＣ」が、酒や煙草等の未成年者に販売できない商品等、販売に制限がかかる商品であったり、また、「ＩｔｅｍＣ」を使用するためには他の商品も購入する必要がある等の何らかの注意点がある商品であったりするものとする。この場合、「ＩｔｅｍＣ」が購入商品に含まれていることをディスプレー１２に表示し、レジを担当する者等に認識させることができれば、適切な処理の実行へとつながることとなり、利便性が向上する。
図１４を援用して本実施形態に係るプリンター２の動作について説明すると、プリンター２は、ホストコンピューター３が送信した記録データ８０（ステップＳＤ１）を受信する（ステップＳＥ１）。受信した記録データ８０は、受信バッファー５６に格納される。
次いで、プリンター２の記録制御部６０は、記憶部５４に記憶された所定のデータを参照する（ステップＳＥ２）。この所定のデータは、「ＩｔｅｍＣ」の文字列と、「ＩｔｅｍＣ」の文字列を含む文字列の記録に係る文字列記録指示コマンドの実行と併せて、購入商品に「ＩｔｅｍＣ」が含まれている旨の情報をディスプレー１２に表示する旨の情報と、が対応づけて記憶されたデータである。この場合、記憶部５４は、特定の文字列と所定の動作とを対応付けて記憶する設定部として機能する。
次いで、プリンター２の記録制御部６０は、記録データ８０に基づいて、感熱ロール紙２２に画像の記録を行う（ステップＳＥ３）。その際、プリンター２は、参照した所定のデータの内容に基づいて、文字列記録指示コマンドを実行して所定の文字列を記録する場合、当該文字列記録指示コマンドが指定する文字列に「ＩｔｅｍＣ」という文字列が含まれているか否かを、既存の文字列検索を利用して判別し、含まれている場合は、当該文字列記録指示コマンドの実行と併せて、ディスプレー１２に「ＩｔｅｍＣ」が購入された旨表示する。これにより、ＩｔｅｍＣが購入されたことを報知可能となる。
つまり、本実施形態に係るプリンター２は、記録データ８０に、「ＩｔｅｍＣ」の文字列を含む文字列を指定した文字列記録指示コマンドが含まれている場合には、当該文字列記録指示コマンドに係る動作の実行と対応させて、当該コマンドの実行前に、予め定められたディスプレー１２への情報の表示という動作を実行しており、このような動作を行うことにより、ホストコンピューター３に対する改変を行うことなく、ＩｔｅｍＣの購入と併せて所定の情報を表示可能となる。
なお、プリンター２が、ディスプレー１２への表示に代えて、又は、ディスプレー１２の表示と併せて、このＬＥＤ３９を所定の態様で点灯／消灯させるようにしてもよい。
【００６７】
以上説明したように、本実施形態に係る記録制御部６０は、記録データ８０に、１の特定の文字列を含む文字列を指定した文字列記録指示コマンドが含まれている場合には、当該文字列記録指示コマンドに係る動作の実行と対応させて、表示部５３により所定の表示動作を行う。
これによれば、プリンター２は、特定の文字列を含む文字列を指定した文字列記録指示コマンドに基づいて、適切なタイミングで、所定の表示動作を行うことが可能である。
【００６８】
なお、上述した実施の形態は、あくまでも本発明の一態様を示すものであり、本発明の範囲内で任意に変形および応用が可能である。
例えば、ユーザーが、ホストコンピューター３に対して入力を行うことにより、特定の文字列を含む文字列を指定した文字列記録指示コマンドの実行と対応させて、プリンター２が実行すべき動作を自由に設定できる構成としても良い。この構成を実現するために、例えば、ホストコンピューター３を、ユーザーの入力に対応させて、その入力内容を示す情報を含む所定のコマンドを送信可能な構成とする。当該所定のコマンドを受信したプリンター２は、当該所定のコマンドの内容に基づいて、例えば、特定の文字列と、当該特定の文字列を含む文字列を指定した文字列記録指示コマンドの実行と対応して実行すべき動作を示す情報とを対応づけて記憶した所定のデータを記憶部５４に記憶する。そして、プリンター２の記録制御部６０は、文字列記録指示コマンドを実行する場合、当該文字列記録指示コマンドが指定する文字列に、上記特定の文字列が含まれているか否かを、既存の文字列検索により判別し、含まれている場合は、当該コマンドの実行と対応して、定められた所定の動作を実行する。
この場合、ホストコンピューター３に対する改変が必要となるものの、ホストコンピューター３を利用して簡易な手段で、プリンター２に、文字列記録指示コマンドの実行と対応させて所定の動作を行わせることが可能となり、非常に利便性が向上する。
【００６９】
また例えば、図３に示す各機能部はハードウェアとソフトウェアの協働により任意に実現可能であり、特定のハードウェア構成を示唆するものではない。
また、上記実施形態では、プリンター２自身が記録制御部６０や、先頭画像情報記憶部６１等を有する制御部５０を備えていたが、例えば、制御部５０の機能を、プリンター２に外部接続される別の装置に持たせるようにしても良い。
また、本発明は、サーマル式のプリンターに限らず、インクジェット式プリンター、ドットインパクト式プリンター、レーザープリンター、熱昇華型プリンター等の任意の形式のプリンターに適用可能である。また、ＡＴＭにおけるプリンター等、他の装置に組み込まれるプリンターであってもよい。また、ＣＤのレーベル面や、ＤＶＤのレーベル面等の紙以外の媒体に記録するものでもよい。
また、本発明を適用可能なプログラムは、ホストコンピューター３に搭載されるプリンタードライバーに含むものであってもよい。
また、上記のフローチャートの各ステップを実行するプログラムを、プリンター２の外部の記憶媒体に記憶させたものを読み出して、制御部５０により実行させることもできる。
【符号の説明】
【００７０】
２…プリンター（記録装置）、３…ホストコンピューター（制御装置）、１０…レシート、２２…感熱ロール紙（記録媒体）、２３…プラテン（搬送部）、２４…記録ヘッド、２５…カッターユニット（切断部）、５０…制御部、５１…プリントエンジン、５３…表示部（報知部）、５４…記憶部（設定部）、５７…放音部（報知部）、６０…記録制御部、６１…先頭画像情報記憶部、８０…記録データ。
【図１】
0005810609.tif 000002
【図２】
0005810609.tif 000003
【図３】
0005810609.tif 000004
【図４】
0005810609.tif 000005
【図５】
0005810609.tif 000006
【図６】
0005810609.tif 000007
【図７】
0005810609.tif 000008
【図８】
0005810609.tif 000009
【図９】
0005810609.tif 000010
【図１０】
0005810609.tif 000011
【図１１】
0005810609.tif 000012
【図１２】
0005810609.tif 000013
【図１３】
0005810609.tif 000014
【図１４】
0005810609.tif 000015